(57)【特許請求の範囲】
【請求項１】
鍵が装着されたキーリングの開口部を封緘している封緘具の封緘を解除する操作を行うことで、上記鍵の交換を可能とする鍵交換装置であって、
上記封緘具によって封緘される上記キーリングが取り付けられる鍵ホルダに付加された情報であって、当該鍵ホルダに固有の情報である鍵ホルダ固有情報を、上記鍵ホルダから取得する鍵ホルダ固有情報取得部を備えており、
上記鍵ホルダは、複数個所における穴の有無の状態を上記鍵ホルダ固有情報と対応付けた固有情報プレートを備え、
上記鍵ホルダ固有情報取得部は、上記固有情報プレートの上記複数個所における穴の有無の状態を検知し、検知した結果に基づいて上記鍵ホルダ固有情報を特定することを特徴とする鍵交換装置。
【請求項２】
鍵が装着されたキーリングの開口部を封緘している封緘具の封緘を解除する操作を行うことで、上記鍵の交換を可能とする鍵交換装置であって、
上記封緘具によって封緘される上記キーリングが取り付けられる鍵ホルダに付加された情報であって、当該鍵ホルダに固有の情報である鍵ホルダ固有情報を、上記鍵ホルダから取得する鍵ホルダ固有情報取得部を備えており、
上記鍵ホルダは、複数個所における穴の有無の状態を上記鍵ホルダ固有情報と対応付けた固有情報プレートを備え、
上記鍵ホルダ固有情報取得部は、上記固有情報プレートの上記複数個所における穴の有無の状態を撮像し、撮像した結果に基づいて上記鍵ホルダ固有情報を特定することを特徴とする鍵交換装置。
【請求項３】
鍵が装着されたキーリングの開口部を封緘している封緘具の封緘を解除する操作を行うことで、上記鍵の交換を可能とする鍵交換装置であって、
上記封緘具によって封緘される上記キーリングが取り付けられる鍵ホルダに付加された情報であって、当該鍵ホルダに固有の情報である鍵ホルダ固有情報を、上記鍵ホルダから取得する鍵ホルダ固有情報取得部を備えており、
上記鍵ホルダは、上記鍵ホルダ固有情報を記憶する記憶部と、当該記憶部に記憶された上記鍵ホルダ固有情報を送信するための通信アンテナと、を備えており、
上記鍵ホルダ固有情報取得部は、上記通信アンテナを介して上記鍵ホルダ固有情報を受信し、
上記鍵ホルダ固有情報は、上記鍵の交換を最後に行った利用者に係る利用者情報を少なくとも含んでいることを特徴とする鍵交換装置。
【請求項４】
鍵が装着されたキーリングの開口部を封緘している封緘具の封緘を解除する操作を行うことで、上記鍵の交換を可能とする鍵交換装置であって、
上記封緘具によって封緘される上記キーリングが取り付けられる鍵ホルダに付加された情報であって、当該鍵ホルダに固有の情報である鍵ホルダ固有情報を、上記鍵ホルダから取得する鍵ホルダ固有情報取得部を備えており、
上記鍵ホルダは、上記鍵ホルダ固有情報を記憶する記憶部と、当該記憶部に記憶された上記鍵ホルダ固有情報を送信するための通信アンテナと、を備えており、
上記鍵ホルダ固有情報取得部は、上記通信アンテナを介して上記鍵ホルダ固有情報を受信し、
上記鍵ホルダ固有情報は、上記鍵ホルダが複数の鍵管理装置のうちの何れの鍵管理装置で管理されているかを示す鍵管理装置情報を含んでいることを特徴とする鍵交換装置。
【請求項５】
鍵が装着されたキーリングの開口部を封緘している封緘具の封緘を解除する操作を行うことで、上記鍵の交換を可能とする鍵交換装置であって、
上記封緘具によって封緘される上記キーリングが取り付けられる鍵ホルダに付加された情報であって、当該鍵ホルダに固有の情報である鍵ホルダ固有情報を、上記鍵ホルダから取得する鍵ホルダ固有情報取得部を備えており、
上記鍵ホルダは、上記鍵ホルダ固有情報を記憶する記憶部と、当該記憶部に記憶された上記鍵ホルダ固有情報を送信するための通信アンテナと、を備えており、
上記鍵ホルダ固有情報取得部は、上記通信アンテナを介して上記鍵ホルダ固有情報を受信し、
上記鍵ホルダ固有情報は、上記鍵ホルダが複数の鍵交換装置のうちの何れの鍵交換装置で上記鍵の交換が可能となっているかを示す鍵交換装置情報を含んでいることを特徴とする鍵交換装置。
【発明の詳細な説明】
【技術分野】
【０００１】
本発明は、鍵が装着されたキーリングの開口部を封緘している封緘具の封緘を解除する操作を行うことで、鍵の交換を可能とする鍵交換装置に関する。
【背景技術】
【０００２】
従来、鍵が装着されたキーリングを鍵ホルダに取り付け、この鍵ホルダを鍵管理装置に着脱可能とすることで、多数の重要な鍵をまとめて管理することが行われている。このような鍵管理装置に関する技術が、特許文献１に開示されている。この特許文献１に開示された技術では、鍵管理機（鍵管理装置）に、キーホルダを着脱可能にする特殊操作部を設けており、この特殊操作部では、装着されたキーホルダに対して特殊操作が可能となっている。また、この特殊操作には、キーホルダを鍵の着脱が可能な状態とする操作が含まれている。
【先行技術文献】
【特許文献】
【０００３】
【特許文献１】特開２０１３−１２７１９６号公報（２０１３年６月２７日公開）
【発明の概要】
【発明が解決しようとする課題】
【０００４】
上述した特許文献１に記載の技術では、基本的に、鍵管理機と特殊操作部とが１対１の関係にあることが想定されている。このため、鍵管理装置の台数が増えるか、あるいは鍵管理装置の仕様変更などが生じると、それに応じて特殊操作部の個数を増やしたり、特殊操作部の仕様変更などを行なったりしなければならない。すなわち、特許文献１に記載の技術では、複数台の鍵管理装置から取り出した鍵ホルダの鍵交換には、必ず複数個の特殊操作部が必要になるという問題点がある。また、上述したように、特許文献１に記載の特殊操作部は、鍵管理装置に常に依存する関係になるため、製造コストが高くなるという問題もある。
【０００５】
本発明は、上記の問題点に鑑みてなされたものであり、その目的は、鍵管理装置と鍵交換装置とが一体、別体にかかわらず、複数台の鍵管理装置から取り出した鍵ホルダの鍵交換を、一つの鍵交換装置で行うことを可能にすることができる鍵交換装置を実現することにある。
【課題を解決するための手段】
【０００６】
上記の課題を解決するために、本発明の態様１に係る鍵交換装置は、鍵が装着されたキーリングの開口部を封緘している封緘具の封緘を解除する操作を行うことで、上記鍵の交換を可能とする鍵交換装置であって、上記封緘具によって封緘される上記キーリングが取り付けられる鍵ホルダに付加された情報であって、当該鍵ホルダに固有の情報である鍵ホルダ固有情報を、上記鍵ホルダから取得する鍵ホルダ固有情報取得部を備えていることを特徴としている。
【０００７】
上記構成によれば、鍵ホルダ固有情報取得部は、鍵ホルダ固有情報を鍵ホルダから取得する。また、鍵ホルダ固有情報は、鍵ホルダに付加された情報であって、当該鍵ホルダに固有の情報である。すなわち、上記構成では、鍵ホルダに鍵ホルダ固有情報を持たせ、鍵交換装置が鍵ホルダ固有情報を取得するようになっている。このため、鍵交換装置が、鍵ホルダの管理を、鍵管理装置とは独自に行うことができる。よって、鍵管理装置と鍵交換装置とが一体、別体にかかわらず、複数台の鍵管理装置から取り出した鍵ホルダの鍵交換を、一つの鍵交換装置で行うことを可能にすることができる。
【０００８】
本発明の態様２に係る鍵交換装置は、上記態様１において、上記鍵ホルダが、複数個所における穴の有無の状態を上記鍵ホルダ固有情報と対応付けた固有情報プレートを備え、上記鍵ホルダ固有情報取得部が、上記固有情報プレートの上記複数個所における穴の有無の状態を検知し、検知した結果に基づいて上記鍵ホルダ固有情報を特定しても良い。上記構成によれば、鍵ホルダに固有情報プレートを設けるという簡単な手法により、固有情報プレートの複数個所における穴の有無の状態の組合せパターンの数と同じ本数の鍵ホルダのそれぞれを、個別に識別することが可能になる。
【０００９】
本発明の態様３に係る鍵交換装置は、上記態様１において、上記鍵ホルダが、複数個所における穴の有無の状態を上記鍵ホルダ固有情報と対応付けた固有情報プレートを備え、上記鍵ホルダ固有情報取得部が、上記固有情報プレートの上記複数個所における穴の有無の状態を撮像し、撮像した結果に基づいて上記鍵ホルダ固有情報を特定しても良い。上記構成によれば、鍵ホルダに固有情報プレートを設けるという簡単な手法により、固有情報プレートの複数個所における穴の有無の状態の組合せパターンの数と同じ本数の鍵ホルダのそれぞれを、個別に識別することが可能になる。
【００１０】
本発明の態様４に係る鍵交換装置は、上記態様１において、上記鍵ホルダが、上記鍵ホルダ固有情報を記憶する記憶部と、当該記憶部に記憶された上記鍵ホルダ固有情報を送信するための通信アンテナと、を備えており、上記鍵ホルダ固有情報取得部が、上記通信アンテナを介して上記鍵ホルダ固有情報を受信しても良い。上記構成によれば、鍵ホルダに記憶部および通信アンテナを設けるという簡単な手法により、記憶部に記憶させることが可能な鍵ホルダ固有情報の数と同じ本数の鍵ホルダのそれぞれを、個別に識別することが可能になる。
【００１１】
本発明の態様５に係る鍵交換装置は、上記態様１において、上記鍵ホルダの表面に、上記鍵ホルダ固有情報と対応付けられた図形パターンを示す図形パターン画像が描画されており、上記鍵ホルダ固有情報取得部が、上記図形パターン画像を読み取り、読み取った結果に基づいて上記鍵ホルダ固有情報を特定しても良い。上記構成によれば、鍵ホルダの表面に図形パターンを描画するという簡単な手法により、描画可能な異なる図形パターンの数と同じ本数の鍵ホルダのそれぞれを、個別に識別することが可能になる。
【００１２】
本発明の態様６に係る鍵交換装置は、上記態様１〜５の何れかにおいて、上記鍵ホルダ固有情報が、上記鍵の交換を最後に行った利用者に係る利用者情報を少なくとも含んでいても良い。上記構成によれば、少なくとも誰が最後に鍵交換を行ったかを確認することが可能になる。
【００１３】
本発明の態様７に係る鍵交換装置は、上記態様１〜６の何れかにおいて、上記鍵ホルダ固有情報が、上記鍵ホルダが複数の鍵管理装置のうちの何れの鍵管理装置で管理されているかを示す鍵管理装置情報を含んでいても良い。上記構成によれば、鍵交換装置での鍵交換の許可・禁止を鍵管理装置情報の指定で行うことが可能になる。
【００１４】
本発明の態様８に係る鍵交換装置は、上記態様１〜７の何れかにおいて、上記鍵ホルダ固有情報が、上記鍵ホルダが複数の鍵交換装置のうちの何れの鍵交換装置で上記鍵の交換が可能となっているかを示す鍵交換装置情報を含んでいても良い。上記構成によれば、どの鍵交換装置で鍵交換を行ったかを確認することが可能になる。
【発明の効果】
【００１５】
本発明の一態様によれば、鍵管理装置と鍵交換装置とが一体、別体にかかわらず、複数台の鍵管理装置から取り出した鍵ホルダの鍵交換を、一つの鍵交換装置で行うことを可能にすることができるという効果を奏する。
【図面の簡単な説明】
【００１６】
【図１】（ａ）は、本発明の実施の一形態に係る鍵交換装置および鍵管理装置の外観構成を示す図であり、（ｂ）は、鍵ホルダを鍵ホルダ固定部に設置する前の状態を示す図であり、（ｃ）は、鍵ホルダを鍵ホルダ固定部に設置した後に、ロック解除レバーを押下したときの状態を示す図である。
【図２】（ａ）は、鍵ホルダの付属品を示す図であり、（ｂ）は、キーリングのリング中間部がロックされた状態における鍵ホルダの状態を示す図であり、（ｃ）は、キーリングのリング中間部のロックが解除された状態における鍵ホルダの状態を示す図であり、（ｄ）は、キーリングのリング中間部がロックされた状態における封緘具の内部の様子を示す断面図であり、（ｅ）は、キーリングのリング中間部のロックが解除された状態における封緘具の内部の様子を示す断面図である。
【図３】上記鍵交換装置の全体構成を示すブロック図である。
【図４】（ａ）〜（ｉ）は、それぞれ上記鍵交換装置の基本動作の流れを示す工程図である。
【図５】（ａ）は、固有情報プレートにおける複数個所の穴の有無の状態の例を示す図であり、（ｂ）は、鍵ホルダ固有情報取得部の一形態を示す図であり、（ｃ）は、鍵ホルダ固有情報取得部の別の形態を示す図である。
【図６】（ａ）は、鍵ホルダ固有情報取得部のさらに別の形態を示す図であり、（ｂ）は、鍵ホルダ固有情報取得部のさらに別の形態を示す図である。
【図７】（ａ）は、鍵ホルダ固有情報取得部のさらに別の形態を示す図であり、（ｂ）は、鍵ホルダ固有情報取得部のさらに別の形態を示す図である。
【図８】ＩＣタグに記録される各種情報の例を示す表である。
【発明を実施するための形態】
【００１７】
本発明の実施の形態について図１〜図８に基づいて説明すれば、次の通りである。以下、説明の便宜上、特定の項目にて説明した構成と同一の機能を有する構成については、同一の符号を付記し、その説明を省略する場合がある。
【００１８】
〔鍵交換装置・鍵管理装置の外観構成など〕
図１に基づき、本発明の実施の一形態に係る鍵交換装置４０および鍵管理装置６０の外観構成などについて説明する。図１の（ａ）は、鍵交換装置４０および鍵管理装置６０の外観構成を示す図である。
【００１９】
図１の（ａ）に示すように、本実施形態の鍵交換装置４０は、鍵管理装置６０と別体に構成されている。しかしながら、鍵交換装置４０および鍵管理装置６０の形態は、このように別体に構成されている形態に限定されず、鍵交換装置４０と鍵管理装置６０とが一体的に構成されていても良い。また、鍵交換装置４０と鍵管理装置６０とを有線または無線通信で接続しても良い。また、鍵交換装置４０に記憶している鍵交換履歴等を別体である鍵管理装置６０にＵＳＢ（Universal Serial Bus）メモリなどの携帯型記憶媒体から転送できるようにしても良い。鍵管理装置６０は、鍵ホルダ返却部を複数備えており（不図示）、複数の鍵ホルダ１０のそれぞれが対応する鍵ホルダ返却部に着脱可能になっている。これにより、多数の重要な鍵をまとめて管理することができるようになっている。また、鍵ホルダ１０に埋め込んだＩＣタグに、鍵交換履歴を記憶させる場合、鍵管理装置６０は、鍵ホルダ１０のＩＣタグに記憶された鍵交換履歴を読み取り、鍵管理装置６０の表示部に鍵交換履歴を表示するようにしても良い。こうすることで、鍵管理装置６０に鍵交換履歴を記憶する記憶部を持たなくても、鍵交換履歴を表示することができる。
【００２０】
なお、鍵管理装置６０のその他の構成等については、本発明の本質とあまり関係ないので、説明を省略する。
【００２１】
次に、図１の（ａ）に示すように、鍵交換装置４０は、ロック解除レバー４１、鍵ホルダ固定部４２、表示部５２、および認証操作受付部５３を備えている。表示部５２には、鍵交換装置４０に記憶している鍵交換履歴などが表示されるようになっている。この鍵交換履歴には、いつ、誰が、どの鍵ホルダを鍵交換したかの情報が含まれている。
【００２２】
また、認証操作受付部５３は、個人ＩＤ（Identification）情報が記録された個人認証カードを当接させることによって、その情報を読み取ることで、誰が鍵交換装置４０にアクセスしたかを認識することができるようになっている。
【００２３】
次に、図１の（ｂ）は、鍵ホルダ１０を鍵ホルダ固定部４２に設置（セット）する前の状態を示す図である。一方、図１の（ｃ）は、鍵ホルダ１０を鍵ホルダ固定部４２に設置した後に、ロック解除レバー４１を押下したときの状態を示す図である。このように、ロック解除レバー４１を押下することにより、後述するように、封緘具２のリング中間部１ａのロックを解除することができるようになっている。これにより、キーリング１を封緘具２から取り外すことができるようになり、鍵交換が可能な状態となる。
【００２４】
〔鍵ホルダ・封緘具・ロック解除レバー〕
次に、図２に基づき、鍵ホルダ１０について説明する。図２の（ａ）は、鍵ホルダ１０の付属品を示す図である。同図に示すように、鍵ホルダ１０の付属品には、キーリング１、封緘具２およびホルダ本体３がある。鍵ホルダ１０は、封緘具２によって封緘されるキーリング１が取り付けられるようになっている。
【００２５】
キーリング１は、金属材料で構成されている。また、キーリング１は、鍵の着脱が可能なように、開口部を有している。キーリング１は、端部よりも中間側に位置するリング中間部１ａ（開口部）を有しており、キーリング１の終端側は、互いに背を向けて対向し、互いに逆向きに屈曲した屈曲部１ｂとなっている。
【００２６】
封緘具２は、ケース２２、およびスライド部材２１〔図２の（ｄ）および（ｅ）参照〕を備えている。ケース２２は、樹脂材料で構成され、直方体形状を為しており、図２の（ａ）に示す裏側の側面には、キーリング１のリング中間部１ａが嵌合されるリング中間部嵌合孔２２ａが形成されている。ケース２２のリング中間部嵌合孔２２ａにキーリング１のリング中間部１ａを嵌合させることで、キーリング１を封緘具２に装着することが可能になっている。なお、本実施形態では、ケース２２は、樹脂材料で構成されているものとして説明するが、ケース２２の構成材料は、樹脂材料に限定されない。例えば、ケース２２の構成材料を金属材料としても良い。
【００２７】
また、スライド部材２１は樹脂材料で構成されており、その一端には、ロックボタン（一部）２１ａが形成されており、図２の（ａ）に示す例では、ケース２２の一端から突出している。なお、本実施形態では、スライド部材２１は、樹脂材料で構成されているものとして説明するが、スライド部材２１の構成材料は、樹脂材料に限定されない。例えば、スライド部材２１の構成材料を金属材料としても良い。
【００２８】
封緘具２は、キーリング１のリング中間部１ａをロックすることが可能になっている。詳細は後述するが、リング中間部１ａをロックされた状態にするには、リング中間部１ａをケース２２のリング中間部嵌合孔２２ａに嵌合させた状態（キーリング１をケース２２に装着した状態）で、ロックボタン２１ａを押してケース２２の内部に収容させれば良い。
【００２９】
一方、リング中間部１ａをリング中間部嵌合孔２２ａに嵌合させた状態で、ケース２２の一端からロックボタン２１ａを突出させれば、リング中間部１ａはロックが解除された状態となる。
【００３０】
ホルダ本体３は、樹脂材料で構成されており、鍵管理装置６０の鍵ホルダ返却部の差込口（不図示）に差し込まれる差込部３１と、差込部３１の差込口に差し込まれる側と反対側に延出する延出部３２と、を備える。差込部３１と延出部３２とは一体に成形されている。差込部３１は、縦断面が縦長矩形状となる直方体形状を為しており、図２の（ａ）に示す表裏の側面には、樹脂変形防止のための複数の溝が形成されている。また、図２の（ａ）に示す延出部３２の下面側には、キーリング１の屈曲部１ｂが取り付けられる屈曲部装着孔３ａが形成されている。なお、本実施形態では、ホルダ本体３は、樹脂材料で構成されているものとして説明するが、ホルダ本体３の構成材料は、樹脂材料に限定されない。例えば、ホルダ本体３の構成材料を金属材料としても良い。
【００３１】
鍵ホルダ１０の付属品の組立ての手順は、以下のとおりである。
（１）キーリング１の屈曲部１ｂをホルダ本体３の延出部３２の屈曲部装着孔３ａに取付ける。
（２）キーリング１のリング中間部１ａを封緘具２のケース２２のリング中間部嵌合孔２２ａに嵌合させた状態で、ロックボタン２１ａを押して（スライド部材２１をケース２２に対して相対的に変位させて）ケース２２の内部に収容させる。
【００３２】
以上のような手順により、鍵ホルダ１０は、図２の（ｂ）に示す状態となる。図２の（ｂ）は、キーリング１のリング中間部１ａがロックされた状態における鍵ホルダ１０の状態を示す図である。この状態では、キーリング１（または封緘具２）が、延出部３２に対して手前側から奥側まで、ホルダ本体３とは別個独立に、約１８０°回動可能に支持されている。なお、キーリング１（または封緘具２）の回動範囲は、上記の形態に限定されず、例えば、キーリング１（または封緘具２）が、延出部３２に対して手前側から下側まで、ホルダ本体３とは別個独立に約９０°回動可能に支持されていても良い。
【００３３】
次に、図２の（ｃ）は、キーリング１のリング中間部１ａのロックが解除された状態における鍵ホルダ１０の状態を示す図である。リング中間部１ａのロックが解除された状態では、図２の（ｃ）に示すように、封緘具２のケース２２の一端から突出したスライド部材２１のロックボタン２１ａがホルダ本体３の差込部３１に当接する状態においてキーリング１の延出部３２に対する回動が阻止される。言い換えれば、図２の（ｃ）に示す状態で、封緘具２（またはキーリング１）を手前側から下側へ９０°回転させようとしても、ホルダ本体３の差込部３１と封緘具２のロックボタン２１ａとが接触して回動が阻止される。このように、キーリング１の延出部３２に対する回動が阻止されることにより、キーリング１のリング中間部１ａのロックが解除されていること（ロックし忘れ）を鍵のユーザは認識することができる。
【００３４】
次に、図２の（ｄ）は、キーリング１のリング中間部１ａがロックされた状態における封緘具２の内部の様子を示す断面図である。同図に示すように、封緘具２は、ケース２２、スライド部材２１を備える。ケース２２の上側の側面には、キーリング１のリング中間部１ａが嵌合されるリング中間部嵌合孔２２ａが形成されている。また、ケース２２の内部の右上側には、後述する係合部２１ｂが係合する係合孔２２ｃが形成されている。
【００３５】
スライド部材２１は、ケース２２に装着されたキーリング１と独立して、キーリング１のリング中間部１ａのロックが解除される解除位置〔図２の（ｅ）参照〕と、リング中間部１ａがロックされるロック位置〔図２の（ｄ）参照〕と、の間を変位するようにケース２２に対して収容されている。
【００３６】
上記解除位置においては、スライド部材２１のロックボタン２１ａがケース２２の一端から突出し、上記ロック位置においては、スライド部材２１のロックボタン２１ａがケース２２の内部に収容される。
【００３７】
スライド部材２１の左端には、ロックボタン２１ａが形成されており、スライド部材２１のロックボタン２１ａと反対側には、上述したケース２２の係合孔２２ｃに係合する係合部２１ｂが形成されている。上記ロック位置においては、係合部２１ｂがケース２２の内部に形成された係合孔２２ｃに係合する。このため、ケース２２に対するスライド部材２１の相対位置が変位して、ユーザの意図に反して、ロックが解除された状態となることを阻止することができる。
【００３８】
次に、スライド部材２１の右側には、磁石２３が収納される磁石収納室２１ｃが形成されている。複数の磁石２３のそれぞれは、向かい合う磁石同士が互いに反発して変位可能なよう、封緘具２の内部（磁石収納室２１ｃ）において対向する位置に配置されている。
【００３９】
また、スライド部材２１の上側側面には、キーリング１のリング中間部１ａが嵌合されるリング中間部嵌合孔２１ｄが形成されている。リング中間部嵌合孔２２ａの左側の壁面には、蓋部２１ｆが形成されている。なお、本実施形態では、磁石２３を２つ用いた形態について説明しているが、磁石２３を３つ以上用いた形態を採用しても良い。
【００４０】
上記ロック位置においては、図２の（ｄ）に示すように、スライド部材２１は、ケース２２に対して相対的に右側一杯にスライドし、ロックボタン２１ａがケース２２の内部に完全に収納された状態になる。また、このとき、スライド部材２１の係合部２１ｂは、ケース２２の係合孔２２ｃに完全に係合した状態になる。
【００４１】
また、ケース２２のリング中間部嵌合孔２２ａは、スライド部材２１の蓋部２１ｆによって塞がれた状態になるため、これによりキーリング１のリング中間部１ａは、ロックされ、キーリング１を封緘具２から取り外すことができない状態になる。
【００４２】
また、上記ロック位置においては、磁石収納室２１ｃに収納されている複数の磁石２３は、磁石２３同士が反発して離間し、一方の磁石２３が、係合部２１ｂの係合孔２２ｃに対する係合の解除を阻止する位置に（右側に）移動している。このため、ユーザの意図に反して、係合部２１ｂの係合孔２２ｃに対する係合が解除されてスライド部材２１のケース２２に対する相対位置が変位してしまうことを阻止することができる。
【００４３】
次に、図２の（ｅ）は、図１の（ｃ）に示すように、鍵ホルダ１０を鍵ホルダ固定部４２に設置した後に、ロック解除レバー４１を押下したときの状態を示している。この状態で、キーリング１のリング中間部１ａのロックは解除される。
【００４４】
図２の（ｅ）は、キーリング１のリング中間部１ａのロックが解除された状態における封緘具２の内部の様子を示す断面図である。同図に示すように、キーリング１のリング中間部１ａのロックが解除された状態では、スライド部材２１は、ケース２２に対して相対的に左側にスライドし、ロックボタン２１ａがケース２２の一端から突出した状態になる。
【００４５】
また、このとき、スライド部材２１の係合部２１ｂは、ケース２２の係合孔２２ｃに対する係合状態が解除される。また、ケース２２のリング中間部嵌合孔２２ａは、スライド部材２１の蓋部２１ｆによって塞がれた状態が解除されるため、これによりキーリング１のリング中間部１ａのロックが解除され、キーリング１を封緘具２から取り外し可能な状態になる。
【００４６】
磁石収納室２１ｃに収納されている複数の磁石２３は、右側の磁石２３と、ロック解除レバー４１の内部に設けられた磁石４４とが、反発して離間し、右側の磁石２３が、磁石収納室２１ｃの左端一杯に移動している。これにより、係合部２１ｂの係合孔２２ｃに対する係合が解除可能になる。
【００４７】
上記構成によれば、スライド部材２１のロックボタン２１ａがケース２２の一端から突出しているか、スライド部材２１のロックボタン２１ａがケース２２の内部に収容されているかによって、キーリング１のリング中間部１ａがロックされているのか、ロックが解除されているのかが外部から判別し易い。よって、キーリング１のリング中間部１ａのロックし忘れを抑制することができる。
【００４８】
〔鍵交換装置の全体構成〕
次に、図３に基づき、本発明の実施の一形態に係る鍵交換装置４０の全体構成について説明する。図３は、鍵交換装置４０の全体構成を示すブロック図である。同図に示すように、鍵交換装置４０は、ロック解除レバー４１、鍵ホルダ固定部４２、近接センサＡ４３、近接センサＢ４５、レバーロック機構４６、鍵ホルダ固有情報取得部４７ａ〜４７ｈ、鍵ホルダロック機構４８、位置センサ４９，４９ａ，４９ｂ、ＬＥＤ（Light Emitting Diode）５０、制御部５１、表示部５２、認証操作受付部５３、および記憶部５４を備える。
【００４９】
近接センサＡ４３および近接センサＢ４５は、それぞれ封緘具２の内部に存在する磁石２３を検知するセンサである。レバーロック機構４６は、鍵交換認証の前は、ロック解除レバー４１を押下できないようにロックし、鍵交換認証の完了後は、上記ロックを解除してロック解除レバー４１を押下できるようにする機構を有する。
【００５０】
なお、本実施形態では、封緘具２の存在を検知する構成として、近接センサを用いる形態について説明したが、封緘具２の存在を検知する構成はこのような形態に限定されない。例えば、フォトセンサやマイクロスイッチなどを用いて封緘具２の存在を検知するようにしても良い。
【００５１】
鍵ホルダ固有情報取得部４７ａ〜４７ｈは、鍵ホルダ１０に付加された情報であって、鍵ホルダ１０に固有の情報である鍵ホルダ固有情報を、鍵ホルダ１０から取得するものである。この鍵ホルダ固有情報には、どの鍵管理装置で管理しているどの鍵ホルダであるかの情報が含まれている。すなわち、上記構成では、鍵ホルダ１０に鍵ホルダ固有情報を持たせ、鍵交換装置４０が鍵ホルダ固有情報を取得するようになっている。このため、鍵交換装置４０が、鍵ホルダの管理を、鍵管理装置６０とは独自に行うことができる。よって、鍵管理装置６０と鍵交換装置４０とが一体、別体にかかわらず、複数台の鍵管理装置から取り出した鍵ホルダの鍵交換を、一つの鍵交換装置で行うことを可能にすることができる。なお、鍵ホルダ固有情報取得部４７ａ〜４７ｈの具体的な形態については、後述する。
【００５２】
鍵ホルダロック機構４８は、鍵ホルダ１０を鍵ホルダ固定部４２に最初に設置した際に、鍵ホルダ１０を鍵ホルダ固定部４２からの取り外しができないようにロックする。また、鍵ホルダロック機構４８は、鍵交換の終了後、近接センサＡ４３で封緘具２に内蔵された磁石２３を検知すると、上記のロックを解除して鍵ホルダ１０を鍵ホルダ固定部４２から取り外し可能にする機構を有する。
【００５３】
位置センサ４９，４９ａ，４９ｂは、それぞれ、鍵ホルダ固有情報取得部４７ａ〜４７ｈに対する鍵ホルダ１０の相対的な位置を検知するセンサである。ＬＥＤ５０は、鍵ホルダ１０の所定部位（例えば、後述する固有情報プレート３３）に対して、光を照射するものである。
【００５４】
次に、図３に示すように、制御部５１は、表示制御部５１１、認証処理部５１２、鍵ホルダロック状態制御部５１３、履歴情報記録制御部５１４、および鍵ホルダ識別処理部５１５を備える。表示制御部５１１は、例えば、表示部５２に鍵交換履歴など記憶部５４から読み出して表示させる制御などを行う。
【００５５】
認証処理部５１２は、認証操作受付部５３に当接した個人認証カードに記録された個人ＩＤ情報を読み取ることで、誰が鍵交換装置４０にアクセスしたかを認識する処理を行い、鍵交換操作を許可したり、鍵交換操作を禁止したりする処理を行う。
【００５６】
鍵ホルダロック状態制御部５１３は、近接センサＡ４３、近接センサＢ４５、レバーロック機構４６、および鍵ホルダロック機構４８の各ブロックの動作を制御して、ロック解除レバー４１の押下をロックしたり、そのロックを解除したり、鍵ホルダ固定部４２に設置された鍵ホルダ１０の取り外しを禁止したり、許可したりする制御を行うものである。
【００５７】
履歴情報記録制御部５１４は、例えば、いつ、誰が、どの鍵ホルダ１０の鍵交換を行ったかの履歴を示す履歴情報を記憶部５４に記憶させる制御を行う。鍵ホルダ識別処理部５１５は、鍵ホルダ固有情報取得部４７ａ〜４７ｈ、位置センサ４９，４９ａ，４９ｂ、およびＬＥＤ５０の各ブロックの動作を制御して、鍵ホルダ固有情報を取得または特定し、取得または特定した鍵ホルダ固有情報に基づいて、鍵交換操作が行われる鍵ホルダ１０を個別に識別する処理を行う。
【００５８】
記憶部５４には、例えば、いつ、誰が、どの鍵ホルダ１０の鍵交換を行ったかの履歴を示す履歴情報などが記憶される。上記構成によれば、鍵ホルダ固有情報取得部４７ａ〜４７ｈは、鍵ホルダ固有情報を鍵ホルダ１０から取得する。これにより、鍵交換装置４０は、複数の鍵ホルダ１０のそれぞれを、鍵ホルダ固有情報を利用して個別に識別することが可能になる。このため、鍵管理装置６０から取り外した複数本の鍵ホルダ１０について纏めて鍵交換することが可能になる。
【００５９】
以上のように、鍵交換装置４０には、鍵ホルダ１０毎の違いを識別する機能があるため、いつ、誰が、どの鍵ホルダ１０の鍵交換を行ったか確実に管理することができる。また、鍵交換装置４０は、鍵ホルダ１０毎の違いを識別する機能があるため、纏めて複数の鍵ホルダ１０の鍵交換作業が可能となる。また、本実施形態の鍵交換装置４０は、鍵管理装置６０と別体であるため、鍵交換作業中に鍵交換以外の鍵ホルダ１０の通常の取り出し、返却操作が可能である。また、鍵交換装置４０は、鍵管理装置６０と別体であり、また新旧の鍵ホルダの互換性を保っているため、新しい鍵ホルダ１０に交換し、鍵交換装置４０を追加することで容易に既設の鍵管理装置に鍵交換機能が付加できる。鍵交換作業は頻度が少ないため、鍵交換装置４０を鍵管理装置６０と別体にし、金庫室等で厳重に管理することで、内部犯罪の誘発を阻止できる。
【００６０】
また、鍵交換装置４０で、いつ、誰が、どの鍵ホルダの鍵交換を行ったか確実に管理できるのは、鍵ホルダ固有情報を利用して、実際に鍵交換作業を行っているときに鍵ホルダごとに識別できるようにしているからである。
【００６１】
また、鍵交換装置４０によれば、記憶部５４に鍵ホルダ固有情報を記録しておくことで、鍵を盗まれたとしても、盗まれなかった鍵のすべてを、記憶部５４に記録した鍵ホルダ固有情報と照合することにより、盗まれた鍵がどの鍵管理装置で管理している何番の鍵かを特定することができる。
【００６２】
さらに、鍵交換装置４０を鍵管理装置６０と別体で構成することにより、鍵管理装置６０が無くても鍵管理を行うことができる。また、鍵交換装置４０を鍵管理装置６０と別体にし、鍵交換装置４０を鍵管理装置６０の設置された部屋と別の部屋に保管し、その別の部屋を、入室が特定のユーザに限定される特別室とすることで、セキュリティ性を高めることができる。
【００６３】
〔鍵交換装置における鍵ホルダのロック機構について〕
次に、図４に基づき、鍵交換装置４０における鍵ホルダ１０のロック機構について説明する。図４の（ａ）〜（ｉ）は、それぞれ鍵交換装置４０の基本動作の流れを示す工程図である。ここでは、主として、鍵交換処理中に、他の鍵ホルダ１０との入れ替えを阻止する動作について説明する。
【００６４】
図４の（ａ）は、鍵ホルダ１０を鍵ホルダ固定部４２に設置（セット）する前の状態を示している。次に、図４の（ｂ）に示すように、鍵ホルダ１０を最初に鍵ホルダ固定部４２にセットすると、鍵ホルダロック機構４８が、鍵ホルダ固定部４２から鍵ホルダ１０を取り外しできないようにロックする。
【００６５】
次に、図４の（ｃ）に示すように、鍵ホルダ１０を鍵ホルダ固定部４２にセットした状態で、キーリング１および封緘具２を手前から奥に向けて９０°回転させると近接センサＢ４５が封緘具２内蔵の磁石２３を検知する。その後、個人認証カードを認証操作受付部５３に当接させることで鍵交換認証が完了すると、レバーロック機構４６は、ロック解除レバー４１を押下できるようにロック解除レバー４１のロックを解除する。これにより、ロック解除レバー４１の押下動作が可能となる。次に、鍵交換認証されたユーザが、ロック解除レバー４１を下方向に押下すると、封緘具２によるリング中間部１ａのロックが解除される。なお、この際、近接センサＢ４５が封緘具２を検知していないときには、鍵交換認証操作を受け付けないようにする。
【００６６】
次に、図４の（ｄ）に示すように、ユーザは、封緘具２を鍵ホルダ１０から取り外す。次に、図４の（ｅ）に示すように、ユーザは、キーリング１を鍵ホルダ１０から取り外す。次に、図４の（ｆ）に示すように、ユーザは、鍵の付け替えを行い、キーリング１を鍵ホルダ１０に取り付ける。
【００６７】
次に、図４の（ｇ）に示すように、ユーザは、封緘具２を鍵ホルダ１０に取り付けて、封緘具２によりリング中間部１ａをロックする。次に、図４の（ｈ）に示すように、キーリング１および封緘具２を奥から手前に向けて９０°回転させると、近接センサＡ４３で封緘具２内蔵の磁石２３を検知し、封緘具２が装着されていることを検知して鍵ホルダ１０の鍵ホルダ固定部４２に対するロックが解除される。次に、図４の（ｉ）に示すように、ユーザは、鍵交換装置４０から鍵ホルダ１０を取り外す。
【００６８】
〔固有情報プレートを用いた鍵ホルダの識別方法の具体例について〕
次に、図５および図６に基づいて、固有情報プレート３３（識別プレート）を用いた鍵ホルダ１０の識別方法の具体例について説明する。図５の（ａ）には、固有情報プレート３３における複数個所の穴の有無の状態の例を２例示している。固有情報プレート３３は、横２列、縦１０行の合計２×１０箇所の分割領域でマトリクス状に仕切られており、この２０箇所の分割領域における穴の有無の状態の組合せパターンを多数構成することができる。なお、分割領域の数は、２０に限定されず、２０よりも少ない数であっても良いし、２０よりも多い数であっても良い。また、分割領域の横の列数、および縦の行数は、それぞれ、上記の数に限定されず、任意の数を設定することができる。なお、上記のように、鍵ホルダの編成を行うにあたり、ホルダ本体３とは別部材からなる固有情報プレート３３を用いることで、各鍵ホルダは、鍵管理装置６０のそれぞれに割り当てられた鍵ホルダ返却部（不図示）にしか差し込めないようになっている。
【００６９】
（実施例１）
次に、図５の（ｂ）に基づき、ピンチェッカー４７ａ（鍵ホルダ固有情報取得部）を用いて、固有情報プレート３３における複数個所の穴の有無の状態を検知する形態について説明する。ピンチェッカー４７ａは、固有情報プレート３３の複数個所の分割領域における穴の有無の状態を検知し、検知した結果に基づいて鍵ホルダ固有情報を特定するようになっている。本実施形態のピンチェッカー４７aは、１本のＧＮＤ（グランド）ピンと、２０本の信号ピンを含んでいる。なお、信号ピンの数は、２０本に限定されず、固有情報プレート３３における分割領域の数に応じて適宜変更することができる。同図に示す形態では、鍵ホルダ１０の固有情報プレート３３の複数個所の分割領域における穴の有無の状態を、ピンチェッカー４７ａを固有情報プレート３３に押し当てて合計２０本の信号ピンからの電気信号でチェックするようにしている。なお、穴の有無によって信号ピンからは異なる電気信号を得ることができるので、これにより各分割領域における穴の有無を検知することができる。固有情報プレート３３における複数個所の穴の有無の状態と、鍵ホルダ固有情報とは、予め対応付けられているものとする。例えば、後述する識別プレート番号と固有情報プレート３３における複数個所の穴の有無の状態とを予め対応付けることができる。
【００７０】
固有情報プレート３３とピンチェッカー４７ａとの相対的な位置関係については、位置センサ４９で確認する。位置センサ４９で固有情報プレート３３に対するピンチェッカー４７ａの押し込み具合を検知することができるようになっている。
【００７１】
上記構成によれば、鍵ホルダ１０に固有情報プレート３３を設けるという簡単な手法により、固有情報プレート３３の複数個所における穴の有無の状態の組合せパターンの数と同じ本数の鍵ホルダ１０のそれぞれを、個別に識別することが可能になる。
【００７２】
（実施例２）
次に、図５の（ｃ）に基づき、反射型ファイバーセンサ４７ｂ（鍵ホルダ固有情報取得部）を用いて、固有情報プレート３３における複数個所の穴の有無の状態を検知する形態について説明する。反射型ファイバーセンサ４７ｂは、固有情報プレート３３の複数個所の分割領域における穴の有無の状態を検知し、検知した結果に基づいて鍵ホルダ固有情報を特定するようになっている。本実施形態の反射型ファイバーセンサ４７ｂは、２０本の反射型ファイバーセンサを含んでいる。なお、反射型ファイバーセンサの数は、２０本に限定されず、固有情報プレート３３における分割領域の数に応じて適宜変更することができる。同図に示す形態では、鍵ホルダ１０の固有情報プレート３３の複数個所の分割領域における穴の有無の状態を、固有情報プレート３３で光を反射させて反射型ファイバーセンサで反射光の強度をチェックするようにしている。なお、穴の有無によって反射型ファイバーセンサからは異なる光強度を得ることができるので、これにより各分割領域における穴の有無を検知することができる。
【００７３】
固有情報プレート３３と反射型ファイバーセンサ４７ｂとの相対的な位置関係については、位置センサ４９で確認する。位置センサ４９により、固有情報プレート３３と反射型ファイバーセンサ４７ｂとの間の適切な距離を検知することができるようになっている。
【００７４】
上記構成によれば、鍵ホルダ１０に固有情報プレート３３を設けるという簡単な手法により、固有情報プレート３３の複数個所における穴の有無の状態の組合せパターンの数と同じ本数の鍵ホルダ１０のそれぞれを、個別に識別することが可能になる。
【００７５】
（実施例３）
次に、図６の（ａ）に基づき、２本の反射型ファイバーセンサ４７ｃ（鍵ホルダ固有情報取得部）、および１つのパルスセンサ４７ｄ（鍵ホルダ固有情報取得部）を用いて、固有情報プレート３３における複数個所の穴の有無の状態を検知する形態について説明する。本実施形態では、反射型ファイバーセンサ４７ｃが有する反射型ファイバーセンサの本数は、固有情報プレート３３の分割領域の横２列の列数に合せて２本としている。
【００７６】
ホルダ本体３をデフォルトの位置から下方向に可動させることによって、反射型ファイバーセンサ４７ｃは、２本の反射型ファイバーセンサにより、固有情報プレート３３の最下部の２つの分割領域から最上部の２つの分割領域までを１行ごとにチェックするようになっている。
【００７７】
また、位置決め板４７ｅ（鍵ホルダ固有情報取得部）は、固有情報プレート３３の分割領域の縦１０行の行数に合せて１０本のピンを有している。この位置決め板４７ｅをデフォルトの位置から下方向に可動させることによって、パルスセンサ４７ｄにて、位置決め板４７ｅとパルスセンサ４７ｄとの相対的な位置関係を検知することができる。パルスセンサ４７ｄからの信号の変化により、反射型ファイバーセンサ４７ｃの２本の反射型ファイバーセンサで、今どの行の分割領域の穴の有無を検知しているのかをチェックすることができる。
【００７８】
固有情報プレート３３と反射型ファイバーセンサ４７ｃとの相対的な位置関係については、位置センサ４９ａおよび４９ｂで確認する。位置センサ４９ａは、ホルダ本体３がデフォルトの位置にあることを検知できるようになっており、位置センサ４９ｂは、ホルダ本体３が予め設定された終了位置まで移動したことを検知できるようになっている。なお、上記の終了位置は、２本の反射型ファイバーセンサによって、固有情報プレート３３の最上部の２つの分割領域をチェックすることができる位置である。
【００７９】
上記構成によれば、鍵ホルダ１０に固有情報プレート３３を設けるという簡単な手法により、固有情報プレート３３の複数個所における穴の有無の状態の組合せパターンの数と同じ本数の鍵ホルダ１０のそれぞれを、個別に識別することが可能になる。
【００８０】
（実施例４）
次に、図６の（ｂ）に基づき、撮像センサ４７ｆ（鍵ホルダ固有情報取得部）を用いて、固有情報プレート３３における複数個所の穴の有無の状態を検知する形態について説明する。撮像センサ４７ｆは、固有情報プレート３３の複数個所の分割領域における穴の有無の状態を撮像し、撮像した結果に基づいて鍵ホルダ固有情報を特定するようになっている。本実施形態の撮像センサ４７ｆは、例えば、ＣＭＯＳ（Complimentary metal-oxide semiconductor）イメージセンサで構成する。同図に示す形態では、鍵ホルダ１０の固有情報プレート３３の複数個所の分割領域における穴の有無の状態を撮像センサ４７ｆで撮像し、その撮像画像を解析することによって、鍵ホルダ固有情報を特定するようになっている。
【００８１】
固有情報プレート３３と撮像センサ４７ｆとの相対的な位置関係については、位置センサ４９で確認する。位置センサ４９により、固有情報プレート３３と撮像センサ４７ｆとの間の適切な距離を検知することができるようになっている。なお、ＬＥＤ５０は、固有情報プレート３３付近を明るくするため、固有情報プレート３３付近に向けて光を照射するために設けている。
【００８２】
上記構成によれば、鍵ホルダ１０に固有情報プレート３３を設けるという簡単な手法により、固有情報プレート３３の複数個所における穴の有無の状態の組合せパターンの数と同じ本数の鍵ホルダ１０のそれぞれを、個別に識別することが可能になる。
【００８３】
なお、以上の実施例では、鍵ホルダ１０に固有情報プレート３３を設けるという形態について説明したが、このような形態に限定されず、例えば、鍵ホルダ１０の表面に凹凸等の特殊な構造を設け、この構造の鍵ホルダ毎の異同により、鍵ホルダ固有情報と対応付けても良い。また、以上の形態では、位置センサ４９，４９ａ，４９ｂを設ける形態について説明したが、位置センサ４９，４９ａ，４９ｂは、必要に応じて省略しても良い。
【００８４】
〔ＱＲコード（登録商標）を用いた鍵ホルダの識別方法の具体例について〕
次に、図７の（ａ）に基づき、ＱＲコードリーダー４７ｇ（鍵ホルダ固有情報取得部）を用いて、鍵ホルダ１０の側面に描画されたＱＲコード（図形パターン画像）３３ａを読み取る形態について説明する。ＱＲコードリーダー４７ｇは、ＱＲコード３３ａを読み取り、読み取った結果に基づいて鍵ホルダ固有情報を特定するようになっている。ＱＲコード３３ａとＱＲコードリーダー４７ｇとの相対的な位置関係については、位置センサ４９で確認する。位置センサ４９により、ＱＲコード３３ａとＱＲコードリーダー４７ｇとの間の適切な距離を検知することができるようになっている。
【００８５】
上記構成によれば、鍵ホルダ１０の表面にＱＲコードを描画するという簡単な手法により、描画可能な異なるＱＲコードの数と同じ本数の鍵ホルダのそれぞれを、個別に識別することが可能になる。以上の形態では、位置センサ４９を設ける形態について説明したが、位置センサ４９は、必要に応じて省略しても良い。
【００８６】
〔ＩＣタグを用いた鍵ホルダの識別方法の具体例について〕
次に、図７の（ｂ）に基づき、ＩＣタグリーダー４７ｈ（鍵ホルダ固有情報取得部）を用いて、鍵ホルダ１０の内蔵されたＩＣタグ（記憶部、通信アンテナ）３３ｂから鍵ホルダ固有情報を受信する形態について説明する。
【００８７】
ＩＣタグ３３ｂは、鍵ホルダ固有情報を記憶する記憶部と、当該記憶部に記憶された鍵ホルダ固有情報を送信するための通信アンテナと、を備えている。ＩＣタグリーダー４７ｈは、上記通信アンテナを介して鍵ホルダ固有情報を受信する。ＩＣタグ３３ｂとＩＣタグリーダー４７ｈとの相対的な位置関係については、位置センサ４９で確認する。位置センサ４９により、ＩＣタグ３３ｂとＩＣタグリーダー４７ｈとの間の適切な距離を検知することができるようになっている。
【００８８】
上記構成によれば、鍵ホルダ１０にＩＣタグ３３ｂを設けるという簡単な手法により、ＩＣタグ３３ｂの記憶部に記憶させることが可能な鍵ホルダ固有情報の数と同じ本数の鍵ホルダのそれぞれを、個別に識別することが可能になる。以上の形態では、位置センサ４９を設ける形態について説明したが、位置センサ４９は、必要に応じて省略しても良い。
【００８９】
〔ＩＣタグに記憶させる各種情報について〕
次に、図８に示す表に基づき、ＩＣタグ３３ｂに記憶させる各種情報（鍵ホルダ固有情報）の例について説明する。同表の１行目の欄に示す識別プレート番号（固有情報プレート番号）は、鍵ホルダ１０の識別を行うための情報の例である。この識別プレート番号は、鍵交換装置４０の記憶部５４に記録して管理する。
【００９０】
同表の２行目の欄に示す号機番号は、鍵管理装置６０の号機を示す情報（鍵ホルダ１０が複数の鍵管理装置のうちの何れの鍵管理装置で管理されているかを示す鍵管理装置情報）の例である。これにより、鍵交換装置４０での鍵交換の許可・禁止を号機番号の指定で行うことが可能になる。また、鍵交換装置４０や鍵管理装置６０に設けたＩＣタグリーダーで号機番号を読み取るようにすることで、管理号機を確認することができる。
【００９１】
同表の３行目の欄に示す鍵ホルダ番号は、鍵ホルダ１０の識別を行うための情報の例である。これにより、鍵交換装置４０での鍵交換の許可・禁止をキーホルダ番号の指定で行うことが可能になる。また、鍵交換装置４０や鍵管理装置６０に設けたＩＣタグリーダー鍵ホルダ番号で読み取ることで鍵ホルダ１０の番号を確認することができる。
【００９２】
同表の４行目の欄に示す鍵交換実行日付は、鍵交換を最後に行った日付や時刻「年・月・日・時・分・秒」を示す情報である。これにより、鍵交換を行う日付間隔を規制することが可能になる。また、鍵交換装置４０で鍵交換を行った日付や時刻を表示することで鍵交換イベントの発生状況を検索するイベント検索を行わなくても鍵交換の事実を確認することができる。
【００９３】
同表の５行目の欄に示す鍵交換実行個人ＩＤ１は、鍵交換を最後に行った利用者に係る利用者情報である。これにより、鍵交換装置４０で鍵交換を行った個人ＩＤをＩＣタグリーダーで読み取って表示部５２に表示することでイベント検索を行わなくても誰が鍵交換を行ったか確認することができる。
【００９４】
同表の６行目の欄に示す鍵交換実行個人ＩＤ２は、鍵交換を最後に行った上記利用者と異なる承認者に係る承認者情報である。利用者情報および承認者情報を記録することにより利用者および承認者の複数人で鍵交換を行う場合に、誰が鍵交換を行ったかを確認することが可能になる（鍵交換認証を複数名で行う場合）。また、鍵交換装置４０で鍵交換を行った個人ＩＤをＩＣタグリーダーで読み取って表示部５２に表示することでイベント検索を行わなくても誰が鍵交換を行ったか確認することができる。
【００９５】
同表の７行目の欄に示す鍵交換装置番号は、鍵ホルダ１０が複数の鍵交換装置のうちの何れの鍵交換装置で鍵の交換が可能となっているかを示す鍵交換装置情報である。これにより、どの鍵交換装置で鍵交換を行ったかを確認することが可能になる。また、鍵交換装置番号を記憶することで、指定された鍵交換装置以外で不正に鍵交換が行われることを抑止することができる。
【００９６】
同表の８行目の欄に示す取付け鍵情報は、鍵番号、名称、画像データなど鍵の情報である。この鍵の情報を記録することでどの鍵ホルダ１０にどのような鍵が吊るしてあるかを鍵管理装置６０や鍵交換装置４０で確認することができる。
【００９７】
上述した鍵交換実行日付、鍵交換実行個人ＩＤ１、および鍵交換実行個人ＩＤ２に関する説明では、鍵交換を最後に行った場合に関する情報をＩＣタグに記録する構成について説明した。しかしながら、ＩＣタグの記憶容量に余裕がある場合には、鍵の交換を行った全ての工程に関する情報をＩＣタグに記憶させるようにしても良い。
【００９８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９９】
１      キーリング
１ａ    リング中間部（開口部）
２      封緘具
１０    鍵ホルダ
３３    固有情報プレート
３３ａ  ＱＲコード（図形パターン画像）
３３ｂ  ＩＣタグ（記憶部、通信アンテナ）
４０    鍵交換装置
４７ａ  ピンチェッカー（鍵ホルダ固有情報取得部）
４７ｂ  反射型ファイバーセンサ（鍵ホルダ固有情報取得部）
４７ｃ  反射型ファイバーセンサ（鍵ホルダ固有情報取得部）
４７ｄ  パルスセンサ（鍵ホルダ固有情報取得部）
４７ｅ  位置決め板（鍵ホルダ固有情報取得部）
４７ｆ  撮像センサ（鍵ホルダ固有情報取得部）
４７ｇ  ＱＲコードリーダー（鍵ホルダ固有情報取得部）
４７ｈ  ＩＣタグリーダー（鍵ホルダ固有情報取得部）
６０    鍵管理装置
【図１】
0006452631.tif 000002
【図２】
0006452631.tif 000003
【図３】
0006452631.tif 000004
【図４】
0006452631.tif 000005
【図５】
0006452631.tif 000006
【図６】
0006452631.tif 000007
【図７】
0006452631.tif 000008
【図８】
0006452631.tif 000009